(57)【要約】      （修正有）【課題】就寝時などにパジャマ下の裾やパジャマ上の袖口が捲り上がるのを確実且つ安価に防止できる新規なパジャマを提供する。【解決手段】パジャマ上とパジャマ下とを備えたパジャマであって、パジャマ上の袖口付近またはパジャマ下の裾付近に、それぞれ手４０または足の指４１を貫通させる穴３０を形成する。これによって、パジャマ上の袖口およびパジャマ下の裾がそれぞれ手首および足首付近に維持されるため、寝返りや足の伸縮を繰り返しても捲り上がることがなくなる。また、既存のものに単に穴３０を形成すれば良いため、製造コストも安価となる。【選択図】図２
0003232392.tif 000002
【実用新案登録請求の範囲】
【請求項１】
パジャマ上とパジャマ下とを備えたパジャマであって、
前記パジャマ上の袖口付近または前記パジャマ下の裾付近に、それぞれ手または足の指を貫通させる穴を形成したことを特徴とするパジャマ。
【請求項２】
請求項１に記載のパジャマにおいて、
前記穴はスリット状をしていることを特徴とするパジャマ。
【請求項３】
パジャマ上とパジャマ下とを備えたパジャマであって、
前記パジャマ上の袖口付近または前記パジャマ下の裾付近に、それぞれ手または足の指を貫通させる環状紐を備えたことを特徴とするパジャマ。
【考案の詳細な説明】
【技術分野】
【０００１】
本考案は、パジャマ上（上着）とパジャマ下（ズボン）とからなるパジャマ（寝衣）に関する。
【背景技術】
【０００２】
一般に上着とズボンからなるパジャマは、就寝時に寝返りなどを繰り返しているうちにズボンの裾や上着の袖が捲り上がってしまい、寒さや違和感などの不快な思いをすることがある。また、パジャマの上に防寒用のカーディガンなどを羽織る際にも袖の裾が捲り上がってしまうといった不都合がある。このような課題を解決するために従来から様々な工夫が施されたパジャマが提案されている。例えば、以下の特許文献１には、パジャマの袖口の内側やパジャマのズボンの裾の内側に、それぞれポケットを取り付け、このポケットに手や足を入れることで袖やズボンの捲れ上がりを防止できるという、ポケット付きパジャマが提案されている。
【０００３】
また、以下の特許文献２には、ズボンの裾及び上着の袖裾に輪状の帯体を着脱自在に取り付け、この輪状の帯体を手や足の土踏まずに引っ掛けることでその捲り上がりを防止できるという、パジャマ等の裾まくりあげ防止具が提案されている。さらに、以下の特許文献３には、パジャマの膝から下、肘から下の布部の表面に起毛を施し、その毛先を膝、肘方向に向くようにシャーリング加工を施すことで裾や袖口の捲り上がりを防止できるという、パジャマが提案されている。
【先行技術文献】
【特許文献】
【０００４】
【特許文献１】実開昭５７−１２９７２０号公報
【特許文献２】実用新案登録第３０５１９８４号公報
【特許文献３】特開昭２００６−３２２１０３号公報
【考案の概要】
【考案が解決しようとする課題】
【０００５】
ところで、前述したような従来提案されているようなアイデアは、パジャマの裾や袖口にポケットや起毛、環状の帯体などを加工する必要があるため、その分構造が複雑となって製造コストが高くなる。また、ズボンの裾や袖の裾をゴムなどで手首や足首に締め付ける方法も考えられているが、その方法ではその部分の血流を悪化させるおそれがある。
【０００６】
そこで、本考案の目的は、これらの課題を解決するために案出されたものであり、その目的は、就寝時などにパジャマ下の裾やパジャマ上の袖口が捲り上がるのを確実且つ安価に実現できる新規なパジャマを提供することにある。
【課題を解決するための手段】
【０００７】
前記課題を解決するために第１の考案は、パジャマ上とパジャマ下とを備えたパジャマであって、前記パジャマ上の袖口付近または前記パジャマ下の裾付近に、それぞれ手または足の指を貫通させる穴を形成したことを特徴とするパジャマである。このような構成によれば、パジャマ上およびパジャマ下を着用後に、パジャマ上の袖口付近およびパジャマ下の裾付近にそれぞれ手または足の指を貫通させた状態で就寝すれば、パジャマ上の袖口およびパジャマ下の裾がそれぞれ手首および足首付近に維持されるため、寝返りや足の伸縮を繰り返しても捲り上がることがなくなる。また、既存のものに単に穴を形成すれば良いため、製造コストも安価となる。
【０００８】
第２の考案は、第１の考案において、前記穴はスリット状をしていることを特徴とするパジャマである。このように穴をスリット状にすれば、その穴に指を挿入していないときは、その穴はほぼ閉じた状態となるため、その穴の存在が目立たなくなる。
【０００９】
第３の考案は、パジャマ上とパジャマ下とを備えたパジャマであって、前記パジャマ上の袖口付近または前記パジャマ下の裾付近に、それぞれ手または足の指を貫通させる環状紐を備えたことを特徴とするパジャマである。このように前記穴に代えて環状紐を備え、この環状紐にそれぞれ手または足の指を貫通させた状態で就寝すれば、第１の考案と同様に寝返りや足の伸縮を繰り返してもその部分が捲り上がるのを確実に防止できる。
【考案の効果】
【００１０】
本考案によれば、パジャマ上の袖口付近または前記パジャマ下の裾付近に、それぞれ手または足の指を貫通させる穴を形成したことから、その穴にそれぞれ手または足の指を貫通させた状態で就寝すれば、袖口や裾が手首や足首の位置に維持されるため、寝返りや足の伸縮を繰り返しても捲り上がることがなくなる。また、既存のものに単に穴を形成すればよいため、製造コストも安価となる。
【図面の簡単な説明】
【００１１】
【図１】本考案に係るパジャマ１００の実施の一形態を示す全体図である。
【図２】パジャマ上１０の袖口付近に形成した穴３０に手４０の親指４１を貫通させた状態を示す概念図である。
【図３】パジャマ下２０の裾付近に形成した穴３０に足５０の親指５１を貫通させた状態を示す概念図である。
【図４】（Ａ）は、スリット状の穴３０を袖の長手方向に沿って設けた例を示す説明図、（Ｂ）は同じくスリット状の穴３０を裾の周方向に沿って設けた例を示す説明図である。
【図５】パジャマ上１０の袖口付近に形成した環状紐６０に手４０の親指４１を貫通させた状態を示す概念図である。
【考案を実施するための形態】
【００１２】
以下、本考案の実施の形態を添付図面を参照しながら説明する。図１は、本考案に係るパジャマ１００の実施の一形態を示したものである。図示するようにこのパジャマ１００は上半身に着用するパジャマ上（上着）１０と、下半身に着用するパジャマ下（ズボン）２０とから構成されている。パジャマ上（上着）１０は胴体部分を覆う上本体１１と、両腕を覆う一対の袖１２，１２とから構成されている。一方、パジャマ下（ズボン）２０は腰回りを覆う下本体２１と、両脚を覆う筒状をした一対の股下部２２，２２とから構成されている。
【００１３】
そして、本考案のパジャマ１００は、袖１２，１２の袖口付近および股下部２２，２２の裾付近にそれぞれ穴３０、３０、３０，３０が穿孔されている。この穴３０、３０、３０，３０は、それぞれスリット状となっており、図２に示すように袖１２の袖口付近の穴３０には、着衣時に手４０の親指４１がその内側からそれぞれ貫通できるようになっている。すなわち、左側の袖１２の袖口付近の穴３０には、左手４０の親指４１が、また、図示しない右側の袖１２の袖口付近の穴３０には、左手４０の親指４１がそれぞれ貫通可能となっている。
【００１４】
また、図３に示すように、股下部２２の裾付近の穴３０には、着衣時に足５０の親指５１がその内側からそれぞれ貫通できるようになっている。すなわち、右側の股下部２２の裾付近の穴３０には、右の足５０の親指５１が、また、図示しない左側の股下部２２の裾付近の穴３０には、左の足５０の親指５１がそれぞれ貫通可能となっている。
【００１５】
そして、袖１２，１２の袖口付近の穴３０は、図４（Ａ）に示すように、袖１２の長手方向に延びるように形成されていると共に、股下部２２，２２の裾付近の穴３０は、同図（Ｂ）に示すように裾の周方向に延びるように形成されている。なお、このスリット状の穴の長さは、手足の親指がスムーズに出し入れできる程度の大きさであれば特に限定されるものではないが、例えば３〜５ｃｍ程度が望ましい。
【００１６】
このような構成をしたパジャマ上１０およびパジャマ下２０を着用後に、パジャマ上１０の袖口付近およびパジャマ下２０の裾付近にそれぞれ手４０および足５０の指を貫通させた状態で就寝すれば、パジャマ上１０の袖口付近およびパジャマ下２０の裾がそれぞれ手首および足首付近に維持される。これによって、寝返りや足の伸縮を繰り返してもパジャマ上１０の袖口やパジャマ下２０の裾が捲り上がることがなくなる。また、パジャマ上１０に袖付きの上着などを重ねて羽織る際に、パジャマ上１０の袖が捲り上がってしまうような不都合も回避できる。これは、パジャマ下２０にさらにズボンを重ねて穿くときも同様である。
【００１７】
また、これらの穴３０はスリット状となっているため、その穴３０に指を挿入していないときは、その穴はほぼ閉じた状態となるため、その穴の存在が目立たなくなる。また、パジャマ本体の基本的な構造は従来のものと何ら変わらず、既存のパジャマに単に穴３０を形成すれば良いため、製造コストも安価となる。
【００１８】
なお、この穴３０は、指がスムーズに抜き差しできるものであれば、その形状は特に限定されるものでなく、スリットの他に長穴状や真円状、その他の形状であってもよい。また、ボタンの穴かがりのようにミシンを用いてその穴３０の縁を補強するようにしても良い。さらに、袖の布を上下に重ね合わせるようにして穴３０を形成すればその存在をより目立たなくすることもできる。さらに、この穴３０を１つの袖口や裾に対して２つ以上複数設けておいて、利用者が使いやすい穴３０を適宜選択できるようにしても良い。
【００１９】
また、図５に示すように穴３０に代えて、あるいは穴３０と共に袖口または裾の縁に環状紐６０を備え、この環状紐６０にそれぞれ手または足の指を貫通できるように構成しても同様の効果を発揮することができる。
【符号の説明】
【００２０】
１０…パジャマ上
１１…上本体
１２…袖
２０…パジャマ下
２１…下本体
２２…股下部
３０…穴
４０…手
４１…親指
５０…足
５１…親指
６０…環状紐
１００…パジャマ
【図１】
0003232392.tif 000003
【図２】
0003232392.tif 000004
【図３】
0003232392.tif 000005
【図４】
0003232392.tif 000006
【図５】
0003232392.tif 000007